【手続補正書】
【提出日】平成21年9月25日(2009.9.25)
【手続補正１】
【補正対象書類名】特許請求の範囲
【補正対象項目名】全文
【補正方法】変更
【補正の内容】
【特許請求の範囲】
【請求項１】
一対の電極間に発光層を含む少なくとも一層の有機層を有する有機電界発光素子であって、一対の電極間の少なくとも一層に、一般式（９）で表される化合物の少なくとも一種を含有することを特徴とする有機電界発光素子。
【化１０１】
2005310733.tif 000001
（ＭA1は白金イオンを表し、ＱA1、ＱA2はそれぞれ含窒素ヘテロ環を形成する原子群を表す。ＲA1とＲA2およびＲA3とＲA4はそれぞれ結合して環構造を形成している。ＹA2、ＹA3はそれぞれ連結基または単結合を表す。ＹA1はかっこ内の２つの２座配位子をそれぞれ連結する連結基、単結合、または二重結合を表す。ＬA5はＭA1に配位する配位子を表す。ｎA1は０を表す。）
【請求項２】
前記ＲA1とＲA2又はＲA3とＲA4が、結合して形成している環構造が、ベンゾ縮環又はピリジン縮環である、請求項１に記載の有機電界発光素子。
【請求項３】
前記一般式（９）で表される化合物が一般式（７）で表される化合物であることを特徴とする請求項１または２記載の有機電界発光素子。
【化１０２】
2005310733.tif 000002
（Ｍ７１は白金イオンを表し、Ｙ71、Ｙ72、Ｙ73はそれぞれ連結基または単結合を表し、Ｚ71、Ｚ72、Ｚ73、Ｚ74、Ｚ75、Ｚ76はそれぞれ置換または無置換の炭素原子、窒素原子を表し、Ｚ71とＺ72、Ｚ73とＺ74が連結基を介して結合し、環を形成しても良い。Ｒ７１とＲ７２およびＲ７３とＲ７４はそれぞれ結合して環構造を形成している。Ｌ７５はＭ７１に配位する配位子を表す。ｎ７１は０を表す。）
【請求項４】
前記Ｒ７１とＲ７２又はＲ７３とＲ７４が、結合して形成している環構造が、ベンゾ縮環又はピリジン縮環である、請求項３に記載の有機電界発光素子。
【請求項５】
前記一般式（７）で表される化合物が一般式（１１）で表される化合物であることを特徴とする請求項３に記載の有機電界発光素子。
【化１０３】
2005310733.tif 000003
（ＲC1、ＲC2はそれぞれ水素原子または置換基を表し、ＲC3、ＲC4、ＲC5、ＲC6はそれぞれ置換基を表す。ｎC3、ｎC6は０〜３、ｎC4、ｎC5は０〜４の整数を表し、ＲC3、ＲC4、ＲC5、ＲC6をそれぞれ複数個有する場合、複数個のＲC3、ＲC4、ＲC5、ＲC6は同じであっても異なってもよく、連結して環を形成してもよい。）
【請求項６】
前記置換基が、アルキル基、アリール基、アミノ基又はアシル基である、請求項３〜５のいずれかに記載の有機電界発光素子。
【請求項７】
前記ＲC1、ＲC2が、それぞれ、アルキル基である、請求項５に記載の有機電界発光素子。
【請求項８】
一対の電極間に少なくとも一層の発光層を含む有機電界発光素子であって、正孔輸送層と発光層に加え、励起子ブロック層、正孔注入層、正孔ブロック層および電子輸送層からなる群から選ばれる少なくとも一つの層を有することを特徴とする請求項１〜７のいずれか一項に記載の有機電界発光素子。
【請求項９】
一対の電極間に少なくとも一層の発光層を含む有機電界発光素子であって、発光層のホスト材料がアミン化合物、金属キレートオキシノイド化合物（金属はアルミニウム、亜鉛、または遷移金属）、ポリアリーレン化合物、縮合芳香族炭素環化合物および非錯体芳香族ヘテロ環化合物からなる群から選ばれることを特徴とする請求項１〜８のいずれか一項に記載の有機電界発光素子。
【請求項１０】
一対の電極間に少なくとも一層の電子輸送層を含む有機電界発光素子であって、電子輸送材料が、金属キレートオキシノイド化合物、ポリアリーレン化合物、縮合芳香族炭素環化合物および非錯体芳香族ヘテロ環化合物からなる群から選ばれることを特徴とする請求項１〜９のいずれか一項に記載の有機電界発光素子。
【請求項１１】
一対の電極間に少なくとも一層の発光層を含む有機電界発光素子であって、発光層のホスト材料が少なくとも２種の化合物からなることを特徴とする請求項１〜１０のいずれか一項に記載の有機電界発光素子。
【請求項１２】
一般式（１１）で表される化合物。
【化１０４】
2005310733.tif 000004
（ＲC1、ＲC2はそれぞれ水素原子または置換基を表し、ＲC3、ＲC4、ＲC5、ＲC6はそれぞれ置換基を表す。ｎC3、ｎC6は０〜３、ｎC4、ｎC5は０〜４の整数を表し、ＲC3、ＲC4、ＲC5、ＲC6をそれぞれ複数個有する場合、複数個のＲC3、ＲC4、ＲC5、ＲC6は同じであっても異なってもよく、連結して環を形成してもよい。）
【請求項１３】
前記置換基が、アルキル基、アリール基、アミノ基又はアシル基である、請求項１２に記載の化合物。
【請求項１４】
前記ＲC1、ＲC2が、それぞれ、炭素数１〜１０のアルキル基である、請求項１２又は１３に記載の化合物。
【請求項１５】
請求項１〜７のいずれかに記載の前記一般式（７）、（９）又は（１１）で表される発光材料。
【請求項１６】
請求項１〜７のいずれかに記載の前記一般式（７）、（９）又は（１１）で表される化合物を含有する発光層。
【請求項１７】
請求項１〜１１のいずれかに記載の有機電界発光素子を用いた表示素子。
【請求項１８】
請求項１〜１１のいずれかに記載の有機電界発光素子を用いたディスプレイ。
【請求項１９】
請求項１〜１１のいずれかに記載の有機電界発光素子を用いた照明光源。
【手続補正２】
【補正対象書類名】明細書
【補正対象項目名】００２６
【補正方法】変更
【補正の内容】
【００２６】
（ＲD3、ＲD4はそれぞれ水素原子または置換基を表し、ＲD1、ＲD2はそれぞれ置換基を表す。ｎD1、ｎD2は０〜４の整数を表し、ＲD1、ＲD2をそれぞれ複数個有する場合、複数個のＲD1、ＲD2は同じであっても異なってもよく、連結して環を形成してもよい。ＹD1は１，２位で置換したビニル基、フェニレン環、ピリジン環、ピラジン環、ピリミジン環または炭素数１〜８のメチレン基を表す。）
［２４］前記一般式（X1）で表される化合物。
［２５］前記一般式（X2）で表される化合物。
［２６］前記一般式（X3）で表される化合物。
本発明は以下の（１）〜（２１）に関するものである。
（１）
一対の電極間に発光層を含む少なくとも一層の有機層を有する有機電界発光素子であって、一対の電極間の少なくとも一層に、一般式（９）で表される化合物の少なくとも一種を含有することを特徴とする有機電界発光素子。
【化１０５】
2005310733.tif 000005
（ＭA1は白金イオンを表し、ＱA1、ＱA2はそれぞれ含窒素ヘテロ環を形成する原子群を表す。ＲA1とＲA2およびＲA3とＲA4はそれぞれ結合して環構造を形成している。ＹA2、ＹA3はそれぞれ連結基または単結合を表す。ＹA1はかっこ内の２つの２座配位子をそれぞれ連結する連結基、単結合、または二重結合を表す。ＬA5はＭA1に配位する配位子を表す。ｎA1は０を表す。）
（２）
前記ＲA1とＲA2又はＲA3とＲA4が、結合して形成している環構造が、ベンゾ縮環又はピリジン縮環である、（１）に記載の有機電界発光素子。
（３）
前記一般式（９）で表される化合物が一般式（７）で表される化合物であることを特徴とする（１）または（２）記載の有機電界発光素子。
【化１０６】
2005310733.tif 000006
（Ｍ７１は白金イオンを表し、Ｙ71、Ｙ72、Ｙ73はそれぞれ連結基または単結合を表し、Ｚ71、Ｚ72、Ｚ73、Ｚ74、Ｚ75、Ｚ76はそれぞれ置換または無置換の炭素原子、窒素原子を表し、Ｚ71とＺ72、Ｚ73とＺ74が連結基を介して結合し、環を形成しても良い。Ｒ７１とＲ７２およびＲ７３とＲ７４はそれぞれ結合して環構造を形成している。Ｌ７５はＭ７１に配位する配位子を表す。ｎ７１は０を表す。）
（４）
前記Ｒ７１とＲ７２又はＲ７３とＲ７４が、結合して形成している環構造が、ベンゾ縮環又はピリジン縮環である、（３）に記載の有機電界発光素子。
（５）
前記一般式（７）で表される化合物が一般式（１１）で表される化合物であることを特徴とする（３）に記載の有機電界発光素子。
【化１０７】
2005310733.tif 000007
（ＲC1、ＲC2はそれぞれ水素原子または置換基を表し、ＲC3、ＲC4、ＲC5、ＲC6はそれぞれ置換基を表す。ｎC3、ｎC6は０〜３、ｎC4、ｎC5は０〜４の整数を表し、ＲC3、ＲC4、ＲC5、ＲC6をそれぞれ複数個有する場合、複数個のＲC3、ＲC4、ＲC5、ＲC6は同じであっても異なってもよく、連結して環を形成してもよい。）
（６）
前記置換基が、アルキル基、アリール基、アミノ基又はアシル基である、（３）〜（５）のいずれかに記載の有機電界発光素子。
（７）
前記ＲC1、ＲC2が、それぞれ、アルキル基である、（５）に記載の有機電界発光素子。
（８）
一対の電極間に少なくとも一層の発光層を含む有機電界発光素子であって、正孔輸送層と発光層に加え、励起子ブロック層、正孔注入層、正孔ブロック層および電子輸送層からなる群から選ばれる少なくとも一つの層を有することを特徴とする（１〜７のいずれか一項に記載の有機電界発光素子。
（９）
一対の電極間に少なくとも一層の発光層を含む有機電界発光素子であって、発光層のホスト材料がアミン化合物、金属キレートオキシノイド化合物（金属はアルミニウム、亜鉛、または遷移金属）、ポリアリーレン化合物、縮合芳香族炭素環化合物および非錯体芳香族ヘテロ環化合物からなる群から選ばれることを特徴とする（１）〜（８）のいずれか一項に記載の有機電界発光素子。
（１０）
一対の電極間に少なくとも一層の電子輸送層を含む有機電界発光素子であって、電子輸送材料が、金属キレートオキシノイド化合物、ポリアリーレン化合物、縮合芳香族炭素環化合物および非錯体芳香族ヘテロ環化合物からなる群から選ばれることを特徴とする（１）〜（９）のいずれか一項に記載の有機電界発光素子。
（１１）
一対の電極間に少なくとも一層の発光層を含む有機電界発光素子であって、発光層のホスト材料が少なくとも２種の化合物からなることを特徴とする（１）〜（１０）のいずれか一項に記載の有機電界発光素子。
（１２）  一般式（１１）で表される化合物。
【化１０８】
2005310733.tif 000008
（ＲC1、ＲC2はそれぞれ水素原子または置換基を表し、ＲC3、ＲC4、ＲC5、ＲC6はそれぞれ置換基を表す。ｎC3、ｎC6は０〜３、ｎC4、ｎC5は０〜４の整数を表し、ＲC3、ＲC4、ＲC5、ＲC6をそれぞれ複数個有する場合、複数個のＲC3、ＲC4、ＲC5、ＲC6は同じであっても異なってもよく、連結して環を形成してもよい。）
（１３）
前記置換基が、アルキル基、アリール基、アミノ基又はアシル基である、（１２）に記載の化合物。
（１４）
前記ＲC1、ＲC2が、それぞれ、炭素数１〜１０のアルキル基である、（１２）又は（１３）に記載の化合物。
（１５）
（１）〜（７）のいずれかに記載の前記一般式（７）、（９）又は（１１）で表される発光材料。
（１６）
（１）〜（７）のいずれかに記載の前記一般式（７）、（９）又は（１１）で表される化合物を含有する発光層。
（１７）
（１）〜（１１）のいずれかに記載の有機電界発光素子を用いた表示素子。
（１８）
（１）〜（１１）のいずれかに記載の有機電界発光素子を用いたディスプレイ。
（１９）
（１）〜（１１）のいずれかに記載の有機電界発光素子を用いた照明光源。
なお、本発明は上記（１）〜（２１）に関するものであるが、その他の事項についても参考のために記載した。
【手続補正３】
【補正対象書類名】明細書
【補正対象項目名】０１８５
【補正方法】変更
【補正の内容】
【０１８５】
以下に本発明の具体的実施例を述べるが、本発明の実施の態様はこれらに限定されない。
なお、本実施例において化合物（１）、（１５）、（８８）を用いた実施例は参考例と読み替えるものとする。
・化合物（１）の合成
６，６’−ビス（２−ヒドロキシフェニル）−２，２’−ビピリジル０．１ｇ、PtCl2 ０．１６ｇにベンゾニトリル１０ｍｌを加え、窒素雰囲気下３時間加熱還流させた。反応液を室温に冷却し、メタノールを加え沈殿させ、吸引ろ過した。得られた固体をシリカゲルカラムクロマトグラフィー（展開溶媒クロロホルム）で精製し、化合物（１）０．０６ｇを得た。マススペクトル測定により化合物（１）の構造を確認した。窒素雰囲気下、化合物（１）を含むクロロホルム溶液にＵＶ光を照射したところ、赤橙色の発光（λmax＝624nm）が得られた。